(57)【要約】      （修正有）【課題】重力と磁石を利用した重力式自動機関を提供する。【解決手段】回転車輪１右と回転車輪左の中心部を車軸により固定し１個の車輪として働き、また回転保護車輪２も左右で１個の車輪として働く。重り４の上面と下面に磁石を装着し、この磁石は上面、下面ともにＮ極としている。重り４は上と下が重なつた時に反発して吸着しない様に設定する。回転車輪１を回転する為に動作点Ａ点、Ｂ点、Ｃ点、Ｄ点を設定する。動作点Ａ点を基点とし、チエン３にアーム３１と結合された重り４は降下装置に支持されてＢ点まで降下する。Ｂ点まで降下してきた重り４は磁石１４、１５の誘導により水平にＣ点まで移動する。Ｃ点まできた重り４は昇降機装置１６により持ち上げられＤ点に上昇するＤ点にきた重り４は磁石１２、１３の誘導により水平にＡ点まで移動し元の位置まで戻る。この様な一連の循環により重り４を次々と送り出し回転車輪１を右方向に回転する。【選択図】図１
2017008917.tif 000002
【特許請求の範囲】
【請求項１】
（重力式自動機関）  本機械は自然の力［重力と磁石］を巧み利用した機械である  今まで  不可能と去れていた回転車輪のメカニズムの基本である重力のバランスを打ち破り  アンバランス現象を発生させることに成功  このアンバランス現象が続く限り  この機械は自動機関として働き完成したものである又この機械は小型から大型まで製作可能であり  大型機械においては回転車輪の左右にかかる重力比［右に重く  左に軽く］が大きく成る為、磁石は必要とせず機械を製作することが可能であり  コストも安くなり出力も数万キロ「Ｗ」位上の機械も製作出来る  又一般的な燃料エンジン付き乗り物の  すべてを  この自動機関に変更することが可能である
【請求項２】
（重力式自動発電機）自動機関「１」と発電機「２」を結合して移動や移設が簡単に出来る様にした重力式自動発電機
【請求項３】
大型機械開発の為  構造改善を下記の通り実施する１  第１図の車輪「１」及び補助車輪「２」を廃止する２  第５図の様に廃止した車輪「１」「２」に替えて    Ａギヤ      Ｂギヤ      Ｃギヤ      Ｄギヤ  を図の様に４箇所に設置する３  機械全体の回転メカニズムの回転バランスを取るために機械上部  右にＡギヤ  左にＤギヤ  下部  右にＢギヤ  左にＣギヤを取り付ける  次にこの機械全体の回転バランスをアンバランス状態「アンバランス現象」にする為  機械の左右の中心線「点線」  を中心に左右に２分割して  右側上にＡギヤ  下にＢギヤ  左側上にＤギヤ  下にＣギヤを取り付ける４  この各ギヤ「Ａ  Ｂ  Ｃ  Ｄ」にチエン「３」を架けて回転する５  このチエン「３」にアーム「３１」と結合された重り「４」を１５個を取り付け  連続して右回転擦るように設置する６  次にチエン「３」がスムーズに回転摺る為に  Ａギヤには重り「４」の重力が大きく架かるように下降機「５」を利用してコントロールしながらＢギヤまで重り「４」は降下する  次にＢギヤまで来た重り「４」は磁石「１４」「１５」にコントロールされてＣギヤまで並行移動する  次にＣギヤまで来た重り「４」は昇降機「１６」のコントロールによりＤギヤまで持ち上げる  次にＤギヤまで来た重り「４」は磁石「１２」「１３」のコントロールにより  平行移動してＡギヤまで戻る  この様に重り「４」は次々と移動して循環回転する以上のように構造改善をしても原理動作は請求項「１」と同じであり  コスト削減にも効果がある
【発明の詳細な説明】
【技術分野】
【０００１】この発明は重力と磁石を利用した重力式自動機関である、今までにない優れた機械であり全世界で利用可能である  未来の技術開発の扉お開く画期的なエンジンの誕生である  又このエンジンに発電機を装着し自動機関発電機として利用できる
【背景技術】
【０００２】現在は、一般的に使用されている機械〔エンジン〕は、燃料［石油、石炭、ガス等］が必要である  この機械は磁石〔吸引力と反発力〕と重力〔引力〕を巧みに利用した  特殊な機械［自動機関］である。したがつて無公害であり地球に優しいエンジンである  今後開発研究が進めば  陸  海  空  で使用している化学「化石」燃料エンジン及び原子力発電［放射能による汚染、等の公害］を一掃しこの自動機関に変更することは可能であり  今後のエネルギー政策に変化がおこる時代が来ると思います
【発明の概要】
【０００３】  第Ｉ図のような回転車輪（１）がある、この車輪の主軸を中心点として縦に２分割し左と右に分けて考える、回転車輪の右側に架けられたチエン「３」にアームを経て取り付けられた重りが車輪の中心点から右にアームの長さだけ離れた位置で下降する為右に大きな重り〔重力〕として働き  一方左側には回転車輪に架けられたチエン「３」にかかる重りはアームの長さだけ車輪の中心点に近い位置を上昇る為  左には小な重り〔重力〕として働く様に設定する  そうすると車輪（１）の右は重く、左は軽くなるため、バランス状態がくずれアンバランス状態に成る、このアンバランス状態を持続するための機械的な装置が必要である。  次にこの要件を満たすために、１〜４  の説明でアンバランス現象が成立する。１      車輪〔１〕にチエン〔３〕を架ける  ［バランスを取る為］２      チエン〔３〕には１５個の重り〔４〕を等間隔に付けている  この為車輪〔１〕を右方向に引き下げるように重り〔４〕が働くと同時に  １５個の重り〔４〕は循環して元の位置に順次連続してもどる３      車輪〔１〕に掛かる重力バランスがくずれ、アンバランス常態に成るようにする為、右には下降装置〔５〕を取り付ける  一方左には昇降機〔１６〕お取り付けている４      次に左  右のアンバランス常態を維持し回転スピードをより早くすることにより  アンバランス現象を誘発し回転することが出来る以上の通り基本原理を利用し回転車輪〔１〕の回転速度を上げより速くすることによりアンバランス現象の誘発に成功、このアンバランス現象を安定的に発生する為のメカニズムを考案し発明したものである
【発明の効果】
【０００４】本発明によりこの機械「重力式自動機関」を利用することにより機械業界は急速に発展し今後  更に未来永久的に進歩発展するものであると確信するものであると同時にクリーンなエジンであるが故に地球温暖化対策に寄与できる
【図面の簡単な説明】
【０００６】本機械は回転車輪「１」右と回転車輪［１−１］左の中心部を車軸により固定し１個の車輪［ヨーヨーの様な形］として働く  また回転保護車輪「２」も左右で１個の車輪として働く  この車輪の中に各部品を装備するこの機械の出力を生み出す為の  重り「４」に付いて先に説明します  「第３図」の重り「４」の働きに付いて説明します重り「４」の上面と下面に磁石を装着している  この磁石は上面  下面ともにＮ極で動作する様にしていますこの為重り「４」は上と下が重なつた時に反発して吸着しない様に設定する次に機械全体の説明をします［第１図］の回転車輪「１」を回転する為に４箇所の動作点を設定します  Ａ点    回転車輪「１」の右中央部  Ｂ点    回転保護車輪「２」の右中央部  Ｃ点    回転保護車輪「２」の左中央部  Ｄ点    回転車輪「１」、の左中央部    動作点Ａ点を基点としチエン「３」にアーム「３１」と結合された重り「４」は降下装置にコントロールされて水平な状態でＢ点まで降下する  次にＢ点まで降下してきた重り「４」は磁石「１４」と磁石「１５」の誘導により浮いた状態で水平にＣ点まで移動する  次にＣ点まできた重り「４」は昇降機装置「１６」のコントロールにより重り「４」は持ち上げられＤ点に上昇する  次にＤ点にきた  重り「４」は磁石「１２」「１３」の誘導により浮いた状態で水平にＡ点まで移動し元の位置まで戻つて来るこの様な一連の循環により重り「４」を次々と送り出し回転車輪「１」を右方向に回転する
【符号の説明】
【０００７】「第１図」  右側図面１    回転車輪        出力車輪「ギヤ付き車輪」２    回転保護車輪    出力を安定にするための車輪［ギヤ付き車輪］３    チエン          重り「４」を循環する４    重り（重力）    回転車輪を回転するための重り５    下降機          重り「４」安定にする  「コントロール」６    チエン          下降機「５」  チエン［３］と連結する７、８  ギヤ          下降機「５」の駆動ギヤ９    ギヤ            下降機「５」上部固定用１０  ギヤ            下降機「５」下部固定用１１  固定金具        下降機「５」のチエンに固定１２  上部磁石の上    重り「４」が通過する際に吸引１３  上部磁石の下    重り「４」が通過する際に反発１４  下部磁石の上    重り「４」が通過する際に吸引１５  下部磁石の下    重り「４」が通過する際に反発１６  昇降機          重り「４」を引き上げる装置［エレベータ］１７  変速機          昇降機「１６」のスピードコントロール１８  １９  ギヤ      昇降機「１６」駆動２０、２１  ギヤ      昇降機「１６」の固定用２２    固定金具      昇降機「１６」のチエンに固定                      重り「４」の引き上げ用２３    回転車輪〔１〕の主軸２４    回転車輪〔２〕の主軸２５  ２６  ２７  ２８  右側板固定金具  「左側板と結合用」２９    右側板固定台３０    右側板                  ［各部品の軸受けつき］３１    アーム                  重り「４」とチエン「３」を結合［第２図］  左側図面１−１    左側回転車輪上２−１    左側回転車輪下３−１    左側面チエン９−１  １０−１    降下機「５」の軸受け２０−１  ２１−１  昇降機「１６」の軸受け２３−１    左側回転車輪軸上２４−１    左側回転車輪軸下２５−１  ２６−１  ２７−１  ２８−１      左側面固定金具及び右側面金具結合用２９−１    左側板固定台３０−１    左側板    「各部品の軸受けつき」［第３図］  重り「４」の説明図３          チエン右                ３−１      チエン左４          重り「４」３１        右アーム      チエン「３」と重り「４」を結合３１−１    左アーム      チエン「３−１」とおもり「４」を結合３２        引き上げ金具  昇降機であげる金具３３        引き下げ金具  下降機で下げる金具３４        磁石、上      重り「４」の上面に装着  使用磁極Ｎ３５        磁石、下      重り「４」の下面に装着  使用磁極Ｎ「Ｎ」      磁石          磁石「Ｎ」は常にＮ磁極で働く［第４図］  ［自動機関発電機］１    自動機関「Ａ」２    発電機  「Ｂ」              「Ｃ」  結合金具  自動機関「１」と発電機「２」結合３    自動機関「Ａ」の内部に発電機「Ｂ」を装着４    自動機関「Ａ」と発電機「Ｂ」を結合金具「Ｃ」で結合一体化［第５図］  第１図改良型図面Ａ    右上部ギヤ    チエンを架けて  右回転するＢ    右下部ギヤ    チエンを架けて右回転するＣ    左下部ギヤ    チエンを架けて右回転するＤ    左上部ギヤ    チエンを架けて右回転する３    チエン        重り「４」を循環する４    重り「重力」  各ギヤを回転する為の重り          この機械の出力を取り出すための重り５    下降機        重り「４」をコントロールする          重り「４」の重力が最大に成るようにする１２  上部磁石上    重り「４」が通過擦るときに吸引１３  上部磁石下    重り「４」が通過擦るときに反発１４  下部磁石上    重り���４」が通過するときに吸引１５  下部磁石下    重り「４」が通過するときに反発１６  昇降機        重り「４」を引き上げる「エレベータ」２９  固定台        機械全体の固定台３１  アーム        チエン「３」と重り「４」を結合する金具
【図１】
2017008917.tif 000003
【図２】
2017008917.tif 000004
【図３】
2017008917.tif 000005
【図４】
2017008917.tif 000006
【図５】
2017008917.tif 000007
【手続補正書】
【提出日】平成27年10月23日(2015.10.23)
【手続補正１】
【補正対象書類名】明細書
【補正対象項目名】０００６
【補正方法】変更
【補正の内容】
【０００６】
【図１】  機械全体の回転装置  右側面の図である
【図２】  機械全体の回転装置  左側面の図である
【図３】  機械の回転をする為の重りの図である
【図４】  自動機関に発電機を装着した図である
【図５】  図１の改慮型回転装置の図である